(57)【要約】      （修正有）【課題】歩き易いスリッパを提供する。【解決手段】スリッパ本体１１の底面部２１を、スリッパ本体１１の長さ方向に延在する中心線を中心とした線対称形状に形成し、底面部２１の先端側に、左縁２３と右縁２４間にアーチ状に架橋する甲部２５を設ける。甲部２５と底面部２１間に足先を挿入して使用する。底面部２１の後端部に踵用スポンジを挿入し、圧肉で弾性に富んだ踵部４２を底面部２１の後端部に形成する。底面部２１の先端部に、当該底面部２１の先端に向かうに従って上方へ湾曲した反り上がり形状の蹴上げ部４５を形成する。【選択図】図３
0003116272.tif 000002
【実用新案登録請求の範囲】
【請求項１】
スリッパ本体に底面部と該底面部の先端側に設けられた甲部とが設けられ、前記底面部と前記甲部との間に足先を挿入して使用するスリッパにおいて、
前記底面部の先端部を、当該底面部の先端に向かうに従って上方へ湾曲した反り上がり形状に形成したことを特徴とするスリッパ。
【請求項２】
前記甲部の上面を、当該スリッパの長さ方向の中途部が下方に没入した湾曲形状に形成したことを特徴とする請求項１記載のスリッパ。
【請求項３】
前記底面部の左縁より立ち上がる左構成部と前記底面の右縁より立ち上がる右構成部とによって前記甲部を構成し、前記左構成部及び前記右構成部の端縁を下側に突出した湾曲状に形成するとともに、前記両構成部の端縁部を、それぞれの端縁に沿って縫製して前記甲部の上面に湾曲形状の湾曲部を形成したことを特徴とする請求項２記載のスリッパ。
【請求項４】
前記底面部の後端部にスポンジを挿入したことを特徴とする請求項１、２又は３記載のスリッパ。
【請求項５】
前記スリッパ本体を左右対称形状としたことを特徴とする請求項１から４にいずれか記載のスリッパ。
【考案の詳細な説明】
【技術分野】
【０００１】
本考案は、室内で使用するスリッパに関する。
【背景技術】
【０００２】
従来、室内の履き物としてスリッパが知られている。
【０００３】
このスリッパは、平板状の底面部と、該底面部の左右の側縁に掛け渡されたアーチ状の甲部とによって構成されている。
【０００４】
これにより、足先を前記底面部と前記甲部との間に挿入して使用できるように構成されている。
【考案の開示】
【考案が解決しようとする課題】
【０００５】
しかしながら、このようなスリッパにあっては、底面部が平板状に形成されているため、歩行時につま先で床面を蹴った際には、踵と前記底面部とが離れてしまい、歩きにくいという問題があった。
【０００６】
本考案は、このような従来の課題に鑑みてなされたものであり、歩き易いスリッパを提供することを目的とするものである。
【課題を解決するための手段】
【０００７】
前記課題を解決するために本考案の請求項１のスリッパにあっては、スリッパ本体に底面部と該底面部の先端側に設けられた甲部とが設けられ、前記底面部と前記甲部との間に足先を挿入して使用するスリッパにおいて、前記底面部の先端部を、当該底面部の先端に向かうに従って上方へ湾曲した反り上がり形状に形成した。
【０００８】
すなわち、スリッパ本体の底面部の先端部は、先端に向かうに従って上方へ湾曲した反り上がり形状に形成されており、歩行時において、つま先で床面を蹴った際には、前記反り上がり形状の前記底面部の先端部が床面に沿ってローリングする。
【０００９】
このため、足の踵と前記底面部の後端部との密着状態が維持される。
【００１０】
また、請求項２のスリッパにおいては、前記甲部の上面を、当該スリッパの長さ方向の中途部が下方に没入した湾曲形状に形成した。
【００１１】
すなわち、足先が挿入されるスリッパ本体の甲部は、その上面の中途部が下方に没入した湾曲形状に形成されている。
【００１２】
このため、当該甲部と前記底面部との間に足先を挿入した状態において、足の甲と前記甲部との密着性が高められる。
【００１３】
さらに、請求項３のスリッパでは、前記底面部の左縁より立ち上がる左構成部と前記底面の右縁より立ち上がる右構成部とによって前記甲部を構成し、前記左構成部及び前記右構成部の端縁を下側に突出した湾曲状に形成するとともに、前記両構成部の端縁部を、それぞれの端縁に沿って縫製して前記甲部の上面に湾曲形状の湾曲部を形成した。
【００１４】
すなわち、底面部より立ち上がる左構成部及び右構成部の端縁は、下側に突出した湾曲状に形成されており、前記両構成部の端縁部が、それぞれの端縁に沿って縫製されることにより、前記甲部の上面に湾曲形状の湾曲部が形成される。
【００１５】
このように、前記左構成部及び前記右構成部を縫製することで、前記甲部が形成されるとともに、当該甲部が前記湾曲形状に形成される。
【００１６】
加えて、請求項４のスリッパにあっては、前記底面部の後端部にスポンジを挿入した。
【００１７】
すなわち、使用時に踵が位置する底面部の後端部には、スポンジが挿入される。
【００１８】
また、請求項５のスリッパにおいては、前記スリッパ本体を左右対称形状とした。
【００１９】
これにより、同一のスリッパ本体を一対用意することにより、一組のスリッパが構成される。
【考案の効果】
【００２０】
以上説明したように、本考案の請求項１のスリッパにあっては、歩行時につま先で床面を蹴った際には、スリッパ本体の底面部に設定された反り上がり形状の先端部が床面に沿ってローリングすることで、足の踵と前記底面部の後端部との密着状態を維持することができる。
【００２１】
したがって、底面部が平板状に形成された従来のように、歩行時に踵と底面部とが離れてしまい、歩きにくいという問題を解消することができ、歩き易いスリッパを提供することができる。
【００２２】
また、請求項２のスリッパにおいては、スリッパ本体の甲部と底面部との間に足先を挿入した状態において、足の甲と前記甲部との密着性を高めることができる。これにより、スリッパ本体の不用意なズレを防止することができ、歩き易さを、さらに向上することができる。
【００２３】
さらに、請求項３のスリッパでは、スリッパ本体の底面部より立ち上がる左構成部の端縁部と右構成部の端縁部とを、それぞれの端縁に沿って縫製するだけで、前記甲部を形成することができるとともに、当該甲部の上面に湾曲形状の湾曲部を形成することができる。
【００２４】
加えて、請求項４のスリッパにあっては、使用時に踵が位置する底面部の後端部にスポンジが挿入された踵部を形成することができる。
【００２５】
これにより、前記スポンジを、踵に加えられた荷重の緩衝材として機能させることができ、使用時の疲労感を和らげることができる。
【００２６】
また、請求項５のスリッパにおいては、スリッパ本体を左右対称形状とすることによって、同一のスリッパ本体を一対用意することで、一組のスリッパを構成することができる。
【００２７】
このため、左右のスリッパ本体を、個別に設計して製造する場合と比較して、低コスト化を図ることができる。
【考案を実施するための最良の形態】
【００２８】
以下、本考案の一実施の形態を図に従って説明する。図１は、本実施の形態にかかるスリッパ１の一方を示す図であり、該スリッパ１は、室内用の履き物として使用されるものである。
【００２９】
このスリッパ１は、左右の一対のスリッパ本体１１によって構成されており、両スリッパ本体１１は、左右対称形状に形成されている。これにより、同一形状のスリッパ本体１１を一対用意することで一足のスリッパ１を構成することができる。
【００３０】
前記スリッパ本体１１は、図２にも示すように、床面と接する底部を構成する底面部２１を備えており、該底面部２１は、当該スリッパ本体１１の長さ方向に延在する中心線２２を中心とした線対称形状に形成されている。前記底面部２１の先端側には、当該底面部２１の左縁２３と右縁２４との間にアーチ状に架橋する甲部２５が設けられており、該甲部２５と前記底面部２１との間に、足先を挿入して使用できるように構成されている。
【００３１】
前記底面部２１は、図３の（ａ）に示すように、下面を構成する生地で構成された下面構成部材３１と、該下面構成部材３１上に積層された足裏用スポンジ３２と、該足裏用スポンジ３２上に積層された生地からなる上面構成部材３３とを備えており、前記下面構成部材３１と前記上面構成部材３３とが、周縁部で縫製されることによって当該底面部２１が形成されている。
【００３２】
この底面部２１の後端部には、肉厚の踵用スポンジ４１が前記足裏用スポンジ３２と前記下面構成部材３１との間に挟持された状態で設けられており、当該底面部２１の後端部には、圧肉で弾性に富んだ踵部４２が形成されている。
【００３３】
この底面部２１の先端部は、図３の（ｂ）にも示すように、先細り形状に形成されており、この先端部は、当該底面部２１の先端に向かうに従って上方へ湾曲した反り上がり形状の蹴上げ部４５が形成されている。
【００３４】
前記底面部２１の前記中心線２２より左側に位置する縁部には、図２にも示したように、左構成部５１が縁部に沿って逢着されており、前記底面部２１の前記中心線２２より右側に位置する縁部には、右構成部５２が縁部に沿って逢着されている。前記左及び右構成部５１，５２は、図３の（ａ）にも示したように、外側面を構成する外面構成部材５３と、内側面を構成する内面構成部材５４とによって構成されており、前記外面及び内面構成部材５３，５４とが、その周縁に沿って逢着されて形成されている。これにより、前記底面部２１の前記踵部４２より先端側には、前記甲部２５が形成されており、前記踵部４２の周囲部には、やや高い縁部５５が前記底面部２１の周縁に沿って立設されている。
【００３５】
前記左構成部５１及び前記右構成部５２の先端側の部位は、前記底面部２１の左縁２３及び右縁２４より立ち上がるとともに、両構成部５１，５２の端部が前記中心線２２上で接合されており、前記左縁２３から前記右縁２４に渡って架橋する断面アーチ状の前記甲部２５が構成されている。前記左構成部５１及び前記右構成部５２の端縁６１は、図２に示したように（図２中に破線で示した逢着前の展開状態を示す部分の図参照）、下側に突出した湾曲状に形成されており、前記両構成部５１，５２の端縁部を、それぞれの端縁６１に沿った縫製部６２で縫製することによって、当該甲部２５の上面６３に湾曲形状の湾曲部６４が形成されている。これにより、当該甲部２５の上面６３には、当該スリッパ本体１１の長さ方向の中途部が下方に没入した湾曲形状に形成されている。
【００３６】
以上の構成にかかる本実施の形態において、前記スリッパ本体１１の底面部２１の先端部は、先端に向かうに従って上方へ湾曲した反り上がり形状の蹴上げ部４５が形成されている。このため、歩行時において、つま先で床面を蹴る際には、前記反り上がり形状の前記蹴上げ部４５を床面に沿ってローリングさせることができ、足の踵と前記底面部２１の後端部との密着状態を維持することができる。
【００３７】
したがって、スリッパ本体の底面部が平板状に形成された従来のように、歩行時に踵と底面部とが離れてしまい、歩きにくいという問題を解消することができ、歩き易いスリッパ１を提供することができる。
【００３８】
また、足先が挿入される前記スリッパ本体１１の甲部２５は、その上面６３の中途部が下方に没入した湾曲形状に形成されている。
【００３９】
このため、当該甲部２５と前記底面部２１との間に足先を挿入した状態において、足の甲と前記甲部２５との密着性を高めることができる。これにより、前記スリッパ本体１１の不用意なズレを防止することができ、歩き易さを、さらに向上することができる。
【００４０】
そして、前記底面部２１より立ち上がる左構成部５１及び右構成部５２の端縁６１，６１は、下側に突出した湾曲状に形成されており、前記両構成部５１，５２の端縁部を、それぞれの端縁６１，６１に沿って縫製するだけで、前記甲部２５の上面６３に湾曲形状の湾曲部６４を形成することができる。
【００４１】
これにより、製造工程の簡素化を図ることができ、低コスト化に寄与することができる。
【００４２】
また、前記スリッパ本体１１にあっては、使用時に踵が位置する前記底面部２１の後端部に圧肉の踵用スポンジ４１が挿入され、踵部４２が形成されている。
【００４３】
このため、前記踵用スポンジ４１を、踵に加えられた荷重の緩衝材として機能させることができ、使用時の疲労感を和らげることができる。
【００４４】
そして、このスリッパ本体１１は、左右対称形状に形成されており、同一のスリッパ本体１１，１１を一対用意することで、一組のスリッパ１を構成することができる。
【００４５】
このため、左右のスリッパ本体１１を、個別に設計して製造する場合と比較して、低コスト化を図ることができる。
【図面の簡単な説明】
【００４６】
【図１】本考案の一実施の形態を示す斜視図である。
【図２】（ａ）は同実施の形態を示す側面図であり、（ｂ）は平面図である。
【図３】（ａ）は図２の（ｂ）のＡ−Ａ線に沿った断面図であり、（ｂ）は図２の（ｂ）のＢ矢視図である。
【符号の説明】
【００４７】
１    スリッパ
１１    スリッパ本体
２１    底面部
２３    左縁
２４    右縁
２５    甲部
４１    踵スポンジ
５１    左構成部材
５２    右構成部材
６２    縫製部
６３    上面
６４    湾曲部
【図１】
0003116272.tif 000003
【図２】
0003116272.tif 000004
【図３】
0003116272.tif 000005